(57)【要約】      （修正有）【課題】特に死体の引き上げ作業を容易に且つ安全に行うことができる死体引き上げ用網を提供する。【解決手段】網１０と、前記網１０の上端縁に設置されると共に、両端が該網１０から延出する吊り綱２０と、前記網１０の上端縁に設置される少なくとも１つの浮体３０と、前記網１０の下端縁に設置される、重量が前記浮体３０の浮力より小さい錘５０と、一端が、前記網１０における、前記錘５０の両側と対応する位置に連結される２つの引き上げ用綱６０と、を備えることを特徴とする。【選択図】図１
2011073667.tif 000002
【特許請求の範囲】
【請求項１】
網（１０）と、
前記網（１０）の上端縁に設置されると共に、両端が該網（１０）から延出する吊り綱（２０）と、
前記網（１０）の上端縁に設置される少なくとも１つの浮体（３０）と、
前記網（１０）の下端縁に設置される、重量が前記浮体（３０）の浮力より小さい錘（５０）と、
一端が、前記網（１０）における、前記錘（５０）の両側と対応する位置に連結される２つの引き上げ用綱（６０）と、
を備えることを特徴とする、死体引き上げ用網。
【請求項２】
更に前記浮体（３０）に隣接するように、前記網（１０）に棒体（４０）が設けられることを特徴とする請求項１に記載の死体引き上げ用網。
【請求項３】
前記錘（５０）が鉛からなる錘綱であることを特徴とする、請求項１に記載の死体引き上げ用網。
【請求項４】
前記錘（５０）が鉛からなる錘綱であり、該錘綱が前記棒体（４０）と平行するように設けられることを特徴とする、請求項２に記載の死体引き上げ用網。
【請求項５】
前記網（１０）の両側に夫々、収容空間（１１１）を有する帯状袋体（１１）が設けられ、
更に前記２つの帯状袋体（１１）に夫々貫設され、夫々の一端が前記吊り綱（２０）に連結されると共に、夫々の他端が網（１０）から延出する２本の巻上げ用綱（７０）を有することを特徴とする、請求項１乃至４の何れか一項に記載の死体引き上げ用網。
【請求項６】
前記浮体（３０）が浮き球であることを特徴とする、請求項１乃至５の何れか一項に記載の死体引き上げ用網。
【発明の詳細な説明】
【技術分野】
【０００１】
本発明は、特に水死体の引き上げ作業に使用する、死体引き上げ用網に関するものである。
【背景技術】
【０００２】
従来の死体又は遺体の引き上げ作業においては一般に、先端にリング状部材が設けられる伸縮可能な棒体が使用される。
海や河川、湖などの水中から死体を引き上げる時は、先ず作業員を載せた船を死体の近くまで寄せ、次に作業員により引き上げ用リングが有する棒体を伸ばし、そのリングで死体を締め付けて固定し、死体を船の横に引き寄せ、作業員が入水して死体を担架に固定し、最後に人力又はウインチなどにより死体を船上に運び上げる。
【先行技術文献】
【特許文献】
【０００３】
【特許文献１】中国実用新案出願第０２２５８２８３．５号
【特許文献２】日本特許出願第２００６−０６８１２８号
【発明の概要】
【発明が解決しようとする課題】
【０００４】
しかしながら、上記従来の引き上げ作業には、以下のような欠点があった。
１.水に浸かっている時間が長くなるにつれ、死体が膨れ上がり、且つ柔らかくなることから、人力又はウインチなどによる引き上げ作業中に死体がばらばらになり易いので、作業が難しくなるだけでなく、死者に対しても好ましいとは言えない。
２.作業員にとって水中作業は体力が消耗しやすいだけでなく、悪天候の場合には命の危険もある。
３.死体から悪臭が発生するので、至近距離で死体回収作業を行うと、不快となり、場合によって気分が悪くなることもある。
【０００５】
また、河川や海などの水中から遭難者を救助する装置の例としては、例えば特許文献１又は特許文献２に記載されたものが知られているが、これらの装置は、主に生存者の救助に用いるものであり、死体の引き上げ作業には不向きであった。
【０００６】
そこで、出願されたのが本発明であって、死体を包み込む網と、引っ張ることにより該網を引き上げる綱とを用いることにより、引き上げ作業を容易に行うことができる死体引き上げ用網を提供することを目的としている。
【課題を解決するための手段】
【０００７】
上記の課題を解決するために、本発明に係る死体引き上げ用網は、網と、該網の上端縁に設置されると共に、両端が該網から延出する吊り綱と、該網の上端縁に設置される少なくとも１つの浮体と、該浮体に隣接するように網に設置される棒体と、該網の下端縁に設置され、重量が該浮体の浮力より小さい錘と、一端が、該網における、該錘の両側と対応する位置に連結される２つの引き上げ用綱とを備えることを特徴とする。
【０００８】
また、本発明に係る死体引き上げ用網においては、錘として鉛からなる錘綱を用いることができ、該錘綱は棒体と平行するように設置される。
【０００９】
また、本発明に係る死体引き上げ用網においては、網の両側に夫々、収容空間を有する帯状袋体が設けられると共に、更に２つの巻上げ用綱が設けられ、該２つの巻上げ用綱は夫々、対応する帯状袋体に貫設され、その一端が前記吊り綱に連結されると共に、他端が網から延出するように構成される。
【００１０】
また、本発明に係る死体引き上げ用網においては、浮体として浮き球を用いることができる。
【発明の効果】
【００１１】
本発明の死体引き上げ用網は、以下に示すような効果を達成することができる。
１．引き上げ用綱を引くことにより死体を網に載せ、次に巻上げ用綱を引くことにより網の両側を縛って死体を網で包み込み、更に吊り綱、引き上げ用綱及び巻上げ用綱を引けば、網に包まれた死体を傷つけることなく船上に引き上げることができるので、引き上げ作業を容易に行うことができる。
２．引き上げ作業は、入水せずに船上で行うので、作業員の体力の消耗度も軽く、作業時の安全も確保できる。
３．作業中は、直接死体に触れることがないので、悪臭による不快感や体調の悪化などを防止することができる。
【図面の簡単な説明】
【００１２】
【図１】本発明に係る死体引き上げ用網の正面図である。
【図２】本発明に係る死体引き上げ用網の使用状態を示す正面図である。
【図３】本発明に係る死体引き上げ用網の使用状態を示す正面図である。
【図４】本発明に係る死体引き上げ用網を水中に設置した状態を示す側面図である。
【図５】図４に示す状態から引き上げ用綱を引っ張る状態を示す図である。
【図６】図５に示す状態から巻上げ用綱を引張った状態を示す側面図である。
【図７】図６に示す状態から吊り綱、引き上げ用綱及び巻上げ用綱を引張った状態を示す側面図である。
【発明を実施するための形態】
【００１３】
図１に示すように、本発明に係る死体引き上げ用網は、網（１０）と、吊り綱（２０）と、少なくとも１つの浮体（３０）と、棒体（４０）と、錘（５０）と、２本の引き上げ用綱（６０）とを備える。
【００１４】
該網（１０）の両側は夫々、収容空間（１１１）を有すると共に、上端と下端に開口を有する帯状袋体（１１）が形成されるように縫合される。
【００１５】
前記吊り綱（２０）は、両端が前記網（１０）から延出するようにその上端縁に設置される。尚、その設置手段は限定していないが、縫合手段によるものが好ましい。
【００１６】
前記浮体（３０）としては、浮き球を用いることができ、複数の浮体（３０）を用いる場合、それらの浮体（３０）は、前記網（１０）の上端縁に所定の間隔をおいて設置され、また、該浮体（３０）に更に結合穴又は結合溝を形成すると共に、前記吊り綱（２０）を該結合穴又は結合溝に挿通することにより浮体（３０）を吊り綱（２０）に取り付けることもできる。
【００１７】
前記棒体（４０）は、網（１０）が絡み合うことを防止するものであり、一定の強度を有し、前記浮体（３０）に隣接するように該網（１０）に設置される。
【００１８】
前記錘（５０）は、網（１０）の下端縁に設置され、その設置手段は特に限定していないが、縫合手段によるものが好ましい。尚、前記錘（５０）としては、鉛からなる錘綱を用いることができ、また、該錘綱は、その重量が前記浮体（３０）の浮力より小さく、前記棒体（４０）に平行するように網（１０）に設置される。
【００１９】
前記２本の引き上げ用綱（６０）の一端が、前記網（１０）における、前記錘（５０）の両側と対応する位置に連結される。
【００２０】
更に、前記２本の巻上げ用綱（７０）は夫々、対応する前記帯状袋体（１１）に貫設され、一端が前記吊り綱（２０）に連結されると共に、他端が網（１０）から延出する構成を有する。
【００２１】
図４に示すように、海や河川、湖などにおいて、本発明により死体の引き上げ作業を行うときは、先ず吊り綱（２０）の両端、引き上げ用綱（６０）の錘（５０）に連結されていない一端及び巻上げ用綱（７０）の網（１０）から延出する一端を作業船（８０）上に残して、死体（９０）を作業船（８０）と網（１０）との間に位置させるように、網（１０）を水中へ投下する。これにより、前記網（１０）は、浮体（３０）が浮上すると共に、錘（５０）が死体（９０）より遥かに低い位置まで沈むので、水面と垂直に位置する。
【００２２】
続いて、図２及び図５に示すように、引き上げ用綱（６０）を引くことにより、網（１０）における錘（５０）が設置された一端を水面へ移動させて死体（９０）を網（１０）に載せ、次に、図３及び図６に示すように、巻上げ用綱（７０）を引っ張ることにより該網（１０）の両側の帯状袋体（１１）を縛って死体（９０）を網（１０）で包み込み、更に、図７に示すように、吊り綱（２０）、引き上げ用綱（６０）及び巻上げ用綱（７０）を引けば、該網（１０）に包まれた死体（９０）を作業船（８０）上に引き上げることができるので、非常に簡単に且つ安全に引き上げ作業を行うことができる。
【符号の説明】
【００２３】
１０        網
１１        帯状袋体
１１１      収容空間
２０        吊り綱
３０        浮体
４０        棒体
５０        錘
６０        引き上げ用綱
７０        巻上げ用綱
８０        作業船
９０        死体
【図１】
2011073667.tif 000003
【図２】
2011073667.tif 000004
【図３】
2011073667.tif 000005
【図４】
2011073667.tif 000006
【図５】
2011073667.tif 000007
【図６】
2011073667.tif 000008
【図７】
2011073667.tif 000009